(57)【要約】【課題】タイトルスキップ専用キーを設けずに、再生中の再生キーの操作でタイトルをスキップさせることができる光ディスク装置を提供する。【解決手段】再生キーが押下されたとき光ディスクに記録されたタイトルが再生中であるか否かが判定され、タイトルが再生中でないと判定されたとき、光ディスクに記録されたタイトルの再生が開始される。タイトルが再生中であると判定されたとき、再生キーが例えば２秒以上押下されたか否かが判定され、再生キーが例えば２秒以上押下されていないと判定されたとき、前記タイトルがスキップされる。再生キーが例えば２秒以上押下されたと判定されたとき、光ディスクが２層ディスクである場合で、現在の再生対象の記録面が１層目であれば、１層目から２層目の先頭タイトルへスキップされる。また、現在の再生対象の記録面が２層目であれば、２層目から１層目の先頭タイトルへスキップされる。【選択図】図５
2008269734.tif 000002
【特許請求の範囲】
【請求項１】
光ディスクに記録されたタイトルの再生を再生キーの押下により開始させるように構成された光ディスク装置において、
タイトルの再生中に前記再生キーが押下されたことを検知したとき、前記タイトルをスキップさせる制御を行うシステムコントローラを備えたことを特徴とする光ディスク装置。
【請求項２】
前記システムコントローラは、前記再生キーが押下されたとき光ディスクに記録されたタイトルが再生中であるか否かを判定する再生判定手段と、前記タイトルが再生中でないと判定されたとき、光ディスクに記録されたタイトルの再生を開始させる再生開始手段と、前記タイトルが再生中であると判定されたとき、前記タイトルをスキップさせるスキップ手段と、を有することを特徴とする請求項１に記載の光ディスク装置。
【請求項３】
前記システムコントローラは、前記再生キーが押下されたとき光ディスクに記録されたタイトルが再生中であるか否かを判定する再生判定手段と、前記タイトルが再生中でないと判定されたとき、光ディスクに記録されたタイトルの再生を開始させる再生開始手段と、前記タイトルが再生中であると判定されたとき、前記再生キーが所定時間以上押下されたか否かを判定する押下時間判定手段と、前記再生キーが所定時間以上押下されていないと判定されたとき、前記タイトルをスキップさせるスキップ手段と、前記再生キーが所定時間以上押下されたと判定されたとき、光ディスクが２層構造の記録面を有する２層ディスクである場合で、現在の再生対象の記録面が１層目であれば、１層目から２層目の先頭タイトルへ、現在の再生対象の記録面が２層目であれば、２層目から１層目の先頭タイトルへスキップさせる層間スキップ手段と、を有することを特徴とする請求項１に記載の光ディスク装置。
【発明の詳細な説明】
【技術分野】
【０００１】
本発明は、光ディスクに記録されたタイトルの再生を再生キーの押下により開始させるように構成されたＤＶＤプレイヤやＤＶＤレコーダなどの光ディスク装置に関し、特に、タイトルのスキップ処理に関する。
【背景技術】
【０００２】
従来から、ＤＶＤプレイヤやＤＶＤレコーダなどの光ディスク装置には、例えば、ＤＶＤ（デジタル・バーサタイル・ディスク）の光ディスクに記録された複数の情報の中で、ユーザが所望する情報を早く再生できるようにするため、リモコンや本体操作部に設けられているスキップキーを操作して、光ピックアップを所望の情報の再生開始位置までスキップさせるスキップ機能を有している。このスキップ機能は、或るタイトルを再生中にスキップキーが押下されると、そのタイトル中の所望のチャプターまでスキップさせるものである。
【特許文献１】特開２０００−９０６５１号公報
【特許文献２】特開２００１−２９１３７７号公報
【発明の開示】
【発明が解決しようとする課題】
【０００３】
ところで、或るタイトルを再生中に、所望のタイトルまでスキップさせたい場合もある。しかし、前記スキップキーは、直接タイトルをスキップさせる機能を有していないので、そのような場合には、リモコンのタイトルメニューキーを押下して、ディスプレイ装置にタイトルメニュー画面やディスプレイメニュー画面を表示させ、その画面から所望のタイトルを選択して再生をさせている。要するに、従来の光ディスク装置では、チャプターをスキップさせるスキップキーは有るが、タイトルをスキップさせるスキップキーは無いので、所望のタイトルを早く再生したい場合には、前述したように、リモコンのタイトルメニューキーを押下して、ディスプレイ装置にタイトルメニュー画面やディスプレイメニュー画面を表示させ、所望のタイトルを選択してから再生をさせているので、ユーザにとっては、タイトルのスキップ操作が面倒で使い勝手が悪いと言う課題があった。
【０００４】
なお、特許文献１の従来技術では、アプリケーションに適したスキップ動作の実行単位をユーザが任意に設定できるようにしているが、このような設定はユーザにとっては面倒であると言う課題が生じる。即ち、この従来技術では、スキップキーの機能を、チャプターのスキップを行うための機能設定と、タイトルのスキップを行うための機能設定とを、ユーザが任意に設定できるようにしているが、操作する上での優先度は、タイトルのスキップよりもチャプターをスキップする方が高く、一般的に多く使用されるので、スキップキーの機能を、チャプタースキップ機能からタイトルスキップ機能に切り換える必要が生じた場合、ユーザにとっては、スキップキーの機能の設定操作が面倒であると言う課題が生じる。
【０００５】
特許文献２の従来技術では、早送りキーでタイトルの頭出しを行っているが、早送りで行うタイトルの頭出しは、スキップで行うタイトルの頭出しに比べ、時間が多くかかり、また、早送りとスキップは、通常、使用目的が異なるものであるので、前記のような課題を解決できるものでない。
【０００６】
本発明は、上記のような課題を解決するためになされたもので、タイトルスキップ専用キーを設けずに、再生中の再生キーの操作でタイトルをスキップさせることができる光ディスク装置を提供することを目的とする。
【課題を解決するための手段】
【０００７】
上記目的を達成するために、請求項１の発明は、光ディスクに記録されたタイトルの再生を再生キーの押下により開始させるように構成された光ディスク装置において、タイトルの再生中に前記再生キーが押下されたことを検知したとき、タイトルをスキップさせる制御を行うシステムコントローラを備えたことを特徴とする光ディスク装置を提供する。
【０００８】
この構成においては、タイトルの再生中に、再生キーが押下されると、前記タイトルはスキップされる。
【０００９】
したがって、この構成によれば、タイトルのスキップを行うためにタイトルメニュー画面やディスプレイメニュー画面をディスプレイ装置に表示させる操作などを行う必要がなく、再生中での再生キーの押下でタイトルをスキップさせることができるので、ユーザにとっては、タイトルのスキップ操作が簡単になり、使い勝手が向上する。また、タイトルスキップ専用キーをリモコンや本体操作部に設けなくても、タイトルスキップ機能を再生キーで代用できるので、コストアップになるようなことはない。
【００１０】
請求項２の発明では、請求項１の発明において、前記システムコントローラは、前記再生キーが押下されたとき、光ディスクに記録されたタイトルが再生中であるか否かを判定する再生判定手段と、前記タイトルが再生中でないと判定されたとき、光ディスクに記録されたタイトルの再生を開始させる再生開始手段と、前記タイトルが再生中であると判定されたとき、前記タイトルをスキップさせるスキップ手段とを有することを特徴とする。
【００１１】
この構成においては、再生キーが押下されたとき、光ディスクに記録されたタイトルが再生中であるか否かが判定され、前記タイトルが再生中でないと判定されたときは、通常に光ディスクに記録されたタイトルの再生が開始されるが、前記タイトルが再生中であると判定されたときは、前記タイトルがスキップされる。
【００１２】
したがって、この構成によれば、タイトルのスキップを行うためにタイトルメニュー画面やディスプレイメニュー画面をディスプレイ装置に表示させる操作などを行う必要がなく、再生中での再生キーの押下でタイトルをスキップさせることが可能になる。
【００１３】
請求項３の発明では、請求項１の発明において、前記システムコントローラは、前記再生キーが押下されたとき光ディスクに記録されたタイトルが再生中であるか否かを判定する再生判定手段と、前記タイトルが再生中でないと判定されたとき、光ディスクに記録されたタイトルの再生を開始させる再生開始手段と、前記タイトルが再生中であると判定されたとき、前記再生キーが所定時間以上押下されたか否かを判定する押下時間判定手段と、前記再生キーが所定時間以上押下されていないと判定されたとき、前記タイトルをスキップさせるスキップ手段と、前記再生キーが所定時間以上押下されたと判定されたとき、光ディスクが２層構造の記録面を有する２層ディスクである場合で、現在の再生対象の記録面が１層目であれば、１層目から２層目の先頭タイトルへ、現在の再生対象の記録面が２層目であれば、２層目から１層目の先頭タイトルへスキップさせる層間スキップ手段とを有することを特徴とする。
【００１４】
この構成においては、再生キーが押下されたとき光ディスクに記録されたタイトルが再生中であるか否かが判定され、前記タイトルが再生中でないと判定されたとき、光ディスクに記録されたタイトルの再生が開始される。前記タイトルが再生中であると判定されたとき、再生キーが所定時間以上押下されたか否かが判定され、再生キーが所定時間以上押下されていないと判定されたとき、前記タイトルがスキップされる。再生キーが所定時間以上押下されたと判定されたとき、光ディスクが２層構造の記録面を有する２層ディスクである場合で、現在の再生対象の記録面が１層目であれば、１層目から２層目の先頭タイトルへスキップされる。現在の再生対象の記録面が２層目であれば、２層目から１層目の先頭タイトルへスキップされる。
【００１５】
したがって、この構成によれば、タイトルのスキップを行うためにタイトルメニュー画面やディスプレイメニュー画面をディスプレイ装置に表示させる操作などを行う必要がなく、再生中での再生キーの押下でタイトルをスキップさせることが可能になる。また、光ディスクが２層構造の記録面を有する２層ディスクであった場合、再生中での再生キーの所定時間以上の押下により、２層ディスクの１層目から２層目の先頭タイトルへ、あるいは２層目から１層目の先頭タイトルへスキップさせることが可能になる。
【発明の効果】
【００１６】
以上のように本発明によれば、タイトルのスキップを行うためにタイトルメニュー画面やディスプレイメニュー画面をディスプレイ装置に表示させる操作などを行う必要がなく、再生キーの１回目の押下では、通常にタイトルの再生が開始され、２回目以降の再生キーの押下では、再生キーがタイトルスキップキーの機能として作用し、タイトルをスキップさせることが可能になる。また、光ディスクが２層構造の記録面を有する２層ディスクであった場合、再生キーの２回目以降の押下時に、所定時間以上、再生キーを押下すると、２層ディスクの１層目から２層目の先頭タイトルへ、あるいは２層目から１層目の先頭タイトルへスキップさせることが可能になる。したがって、ユーザにとっては、タイトルのスキップ操作が簡単になり、使い勝手が向上する。また、タイトルスキップ専用キーをリモコンや本体操作部に設けなくても、タイトルスキップ機能を再生キーで代用できるので、コストアップになるようなことはない。
【発明を実施するための最良の形態】
【００１７】
以下、添付図面を参照しつつ、本発明の実施の形態について説明する。図１は本発明の一実施形態に係る光ディスク装置としてのＤＶＤプレイヤの構成を示すブロック図である。ここでは、光ディスク装置としてＤＶＤプレイヤについて説明するが、ＤＶＤレコーダであっても、以下で述べるタイトルスキップ処理を適用できることは言うまでもない。
【００１８】
図１において、このＤＶＤプレイヤは、ＤＶＤ等の光ディスク１に記録された情報を再生するためにレーザービームを出射すると共に光ディスク１からの反射光を受光する光ピックアップ３と、光ディスク１を回転させるスピンドルモータ２と、このスピンドルモータ２を駆動するスピンドルドライブ回路１９と、光ピックアップ３のトラッキングサーボを行うトラッキング用アクチュエータ（図示せず）を駆動するトラッキングドライブ回路１７と、光ピックアップ３のフォーカスサーボを行うフォーカス用アクチュエータ（図示せず）を駆動するフォーカスドライブ回路１６と、光ピックアップ３を光ディスク１の半径方向に移動させるスレッド４と、このスレッド４を駆動するスレッドドライブ回路１８とを備えている。
【００１９】
また、このＤＶＤプレイヤは、光ディスク１の再生時に光ピックアップ３からのＲＦ信号を増幅するＲＦアンプ５と、ＶＣＯ（voltage controlled oscillator）を含むＰＬＬ（phase locked loop）８を備えＲＦアンプ５からのＲＦ信号を入力してデータと同期信号を分離するデータ／同期信号分離回路６と、このデータ／同期信号分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号をビデオ出力端子２３とオーディオ出力端子２４をそれぞれ介して例えばテレビジョン受像機２２に供給するＡＶデコード回路１０とを備えている。
【００２０】
また、このＤＶＤプレイヤは、ＲＦアンプ５からのＲＦ信号に含まれ光ディスク１上のトラックの無いミラー面を示すミラー信号を検出してミラー面をカウントするミラー検出回路７と、光ピックアップ３からのＲＦ信号に含まれるトラッキングエラー信号を検出するトラッキングエラー検出回路１１と、光ピックアップ３からのＲＦ信号に含まれるフォーカスエラー信号を検出するフォーカスエラー検出回路１２と、トラッキングエラー検出回路１１からのトラッキングエラー信号に基づいてトラッククロスを検出してトラックパルスを出力するトラッククロス検出回路１３とを備えている。
【００２１】
また、このＤＶＤプレイヤには、この装置本体の前面などに設けられ装置電源のオン／オフ操作や再生に関する各種操作などを行うための複数のキーを有した本体操作部２５が備えられている。この本体操作部２５は、リモコン２６からの操作指令を示す光信号を受信する受光手段（図示せず）を備え、この受光手段により光信号を電気信号に変換してシステムコントローラ１４に指令信号を入力する。リモコン２６は、装置電源のオン／オフ操作や再生に関する各種操作などを行うための複数のキーを有している。
【００２２】
また、このＤＶＤプレイヤは、演算や処理を行うＣＰＵ１５と、このＣＰＵ１５に従って上記各構成要素を制御するシステムコントローラ１４と、装置の制御や処理に必要なプログラムや情報を記憶するメモリ２０とを備えている。このシステムコントローラ１４は、光ピックアップ３からのＲＦ信号に含まれるフォーカスエラー信号に基づいて光ピックアップ３のフォーカスサーボのための制御、光ピックアップ３からのＲＦ信号に含まれるトラッキングエラー信号に基づいて光ピックアップ３のトラッキングサーボのための制御、本体操作部２５やリモコン２６からの再生指示信号に従って光ディスク１の再生位置を決めるためスレッドドライブ回路１８を介してスレッド４を駆動して光ピックアップ３を光ディスク１の半径方向に移動させる制御、本体操作部２５やリモコン２６からの指令信号によりスピンドルドライブ回路１９を介してスピンドルモータ２を回転させる制御などを行う。
【００２３】
システムコントローラ１４は、本実施形態の特徴とする構成要素として、リモコン２６の再生キー２７（または本体操作部２５の再生キー２８）が押下されたとき光ディスク１に記録されたタイトルが再生中であるか否かを判定する再生判定手段と、前記タイトルが再生中でないと判定されたとき、光ディスク１に記録されたタイトルの再生を開始させる再生開始手段と、前記タイトルが再生中であると判定されたとき、再生キー２７が所定時間以上押下されたか否かを判定する押下時間判定手段と、再生キー２７が所定時間以上押下されていないと判定されたとき、タイトルをスキップさせるスキップ手段と、再生キー２７が所定時間以上押下されたと判定されたとき、光ディスク１が２層構造の記録面を有する２層ディスクである場合で、現在の再生対象の記録面が１層目であれば、１層目から２層目の先頭タイトルへ、現在の再生対象の記録面が２層目であれば、２層目から１層目の先頭タイトルへスキップさせる層間スキップ手段とを有する。
【００２４】
図２は本実施形態においてＤＶＤビデオフォーマットの光ディスクのデータ構成図である。図２（ａ）には、この光ディスクにおける記録順のデータ構成を示しており、このデータ構成は、ボリューム・ファイル構造の領域とＤＶＤ−ＶＩＤＥＯ領域とＤＶＤのその他のアプリケーション領域とから構成される。そのＤＶＤ−ＶＩＤＥＯ領域は、図２（ｂ）に示すように、全体の管理情報領域としてのＶＭＧ（ビデオ・マネージャ）と、９９個まで分割可能なＶＴＳ（ビデオ・タイトル・セット）とから構成されている。そのＶＭＧは、図２（ｃ）に示すように、この光ディスクの主たる管理領域としてのＶＭＧＩ（ビデオ・マネージャ・インフォメーション）と、タイトル・メニュー用ＶＯＢＳ（ビデオ・オブジェクト・セット）と、ＶＭＧＩのバックアップとから構成されている。そのＶＭＧＩには、図２（ｄ）に示すように、種々のデータが記録されている。
【００２５】
また、図２（ｂ）の各ＶＴＳは、図２（ｅ）に示すように、管理情報領域としてのＶＴＳＩ（ビデオ・タイトル・セット・インフォメーション）と、その他、図で示すようなデータが記録されている。各ＶＴＳＩについては、図２（ｆ）に示すような種々のデータが記録されており、このうち特にタイトル再生用ＰＧＣ（プログラム・チェーン）情報テーブルの中には、ユーザによるＴＯＰ（トップページのサーチ）、ＦＦ（早送り）、ＦＳＫＩＰ（スキップ）などの操作を有効にするか否かの情報が記録されている。
【００２６】
この光ディスクに記録されているデータが映画である場合は、この映画を再生するための情報がＶＴＳＩに記録され、１作品となるビデオ、オーディオなどの情報がタイトル用ＶＯＢＳに記録される。このＶＯＢＳは、図３に示すような構成を有する。
【００２７】
図３は本実施形態において光ディスク上のＶＯＢＳのデータ構成図である。ＶＯＢＳは、図３に示すように、１群の記録データとして管理される複数のＶＯＢから構成される。このＶＯＢは、映画では１シーンや１カットなどの単位となるＣｅｌｌ（セル）の集合で構成され、このＣｅｌｌの再生時間は数分から１０数分程度となっている。
【００２８】
各Ｃｅｌｌは、複数のＶＯＢＵによって構成され、このＶＯＢＵは、全再生時間が、例えば、０．４秒から１．２秒単位のデータが記録される。このＶＯＢＵの中には、ＭＰＥＧフォーマットにおける複数のグループ・オブ・ピクチャが含まれる。このＶＯＢＵには、ＶＯＢＵを管理する情報を記録したナビゲーションパック（ＮＶパック；ＮＶ−ＰＣＫ）と、主映像データを記録したビデオパック（Ｖパック；Ｖ−ＰＣＫ）と、音声データを記録したオーディオパック（Ａパック；Ａ−ＰＣＫ）と、字幕などの副映像データを記録したサブピクチャパック（ＳＰパック；ＳＰ−ＰＣＫ）とにより構成されている。
【００２９】
各ＶＯＢＵは、前記ＮＶパックと呼ばれる管理パック内のデータに基づき管理される。このＮＶパックには、ＶＯＢＵ全体の管理データとして、このＶＯＢＵの再生時間が記録され、また、ＮＶパックにより再生が制御される主映像データを記録したＶパックのサイズが記録されている。その他、このＮＶパックには、このＮＶパックのアドレス、カテゴリー、ユーザ操作の制御情報が記録され、その他、このＶＯＢＵが含まれているＣｅｌｌの先頭からの経過時間など、種々の管理データが記録されている。
【００３０】
図４は本実施形態において光ディスク上のＶＯＢＵにおけるデータ管理部分のデータ構成図である。このＮＶパックのデータ構成としては、図４に示すように、映像データ表示の制御情報であるプレゼンテーション・コントロール・インフォメーション（ＰＣＩ）と、各データのサーチ情報であるデータ・サーチ・インフォメーション（ＤＳＩ）とを備えている。前記ＰＣＩには、このＰＣＩ全体の管理情報と、ノンシームレスの場合のアングル切換情報と、副映像などを表示する際に所定領域にハイライト表示をするための情報と、主映像データ、副映像データ、音声データのレコーディング情報などが記録されている。
【００３１】
また、前記ＤＳＩには、このＤＳＩ全体の管理情報（ＤＳＩ  ＧＩ）と、シームレスの場合の再生管理情報（ＳＭＬ  ＰＢＩ）と、シームレスの場合のアングル情報（ＳＭＬ  ＡＧＬＩ）と、ＶＯＢＵ間の時間間隔などのＶＯＢＵ検索情報（ＶＯＢＵ  ＳＲＩ）と、音声データおよび副映像データと時間的な一致を示すシンクロ情報（ＳＹＮＣＩ）などが記録されている。更に、前記ＤＳＩの管理情報（ＤＳＩ  ＧＩ）には、このＮＶパックのシステムクロック基準（ＮＶ  ＰＧＫ  ＳＣＲ）、このＮＶパックのアドレス（ＮＶＰＣＫ  ＬＢＮ）、このＶＯＢＵに関するユーザ操作制御情報などの各種データ群、およびこのＶＯＢＵが含まれているセルの先頭からの経過時間（Ｃ  ＥＬＴＭ）などが記録されている。
【００３２】
以上のようなＤＶＤビデオフォーマットの光ディスクのデータ構成により、各ディスク毎にディスクの読み込み開始部にディスク固有の識別記号が記録され、また、例えば、図２のＶＴＳ♯１のタイトル用ＶＯＢＳを映画の本編とし、ＶＴＳ♯２のタイトル用ＶＯＢＳを映画製作会社、ソフトメーカーなどの宣伝用映像に設定するとともに、この部分を自動再生時の最初に再生する映像に設定することができる。また、その宣伝用映像の再生に必要なＶＴＳＩ、およびこの映像データを記録したＶＯＢ中の各ＶＯＢＵのＮＶパックには、ユーザ操作情報としての停止操作、あるいは早送り（ＦＦ）、あるいは前方へのスキップ（Ｆ−Ｓｋｉｐ）操作を無効とするデータなどの制御情報、即ち、ユーザ操作制御情報を任意に書き込むことができる。したがって、各ＤＶＤビデオフォーマットの光ディスクによって、前方へのスキップ操作を禁止し、また、停止操作および早送り操作を全て禁止するように設定したもの、また、停止操作のみを禁止するように設定したものなど種々のものが存在する。
【００３３】
図５は本実施形態においてタイトルスキップ処理を説明するためのフローチャートである。このフローチャートを参照してタイトルスキップ処理について説明する。
【００３４】
先ず、光ディスク１が装置に挿入されて立ち上った後、例えば、リモコン２６の再生キー２７が押下されると、システムコントローラ１４の再生判定手段は、再生キー２７が押下されたことを検知し（ステップＳ１）、光ディスク１に記録されているタイトルが再生中であるか否かを判定するが（ステップＳ２）、ここでは、光ディスク１が挿入された後の１回目の再生キー２７の押下であるので、再生中ではないと判定され、システムコントローラ１４は、スピンドルモータ２を駆動させることにより、光ディスク１を回転させると共に、光ピックアップ１を駆動させ、光ディスク１に記録されたタイトル（例えばＶＴＳ♯１）の再生を開始させる（ステップＳ１０）。
【００３５】
そして、当該タイトルの再生が終了していない状態で（ステップ１２）、再生キー２７が押下されると（ステップＳ１）、即ち、２回目の再生キー２７の押下が有ると、システムコントローラ１４の再生判定手段は、光ディスク１に記録されたタイトルが再生中であるか否かを判定するが（ステップＳ２）、ここでは、当該タイトルの再生が終了していない状態なので、再生中であると判定する。
【００３６】
次に、システムコントローラ１４の押下時間判定手段は、再生キー２７が押下されている時間が、例えば２秒以上経過したか否かを判定する（ステップＳ３）。即ち、再生キー２７が押下されたとき、図示しない計時手段により時間がカウントされ、再生キー２７が押下から離されたとき、その時間のカウントが停止されることにより、押下時間判定手段は、再生キー２７が押下されている間の時間が、例えば２秒以上であるか否を判定する。
【００３７】
再生キー２７が例えば２秒以上押下されていないと判定されたとき、システムコントローラ１４のスキップ手段は、スレッドドライブ回路１８を介してスレッド４を駆動させ、光ピックアップ３をスキップ動作させ、再生対象のタイトルを現在の再生中のタイトル（例えばＶＴＳ♯１）から次のタイトル（例えばＶＴＳ♯２）の頭まで再生時間情報に従ってスキップさせる（ステップＳ４）。なお、ここで、もう一度、再生キー２７が例えば２秒未満内で押下されると、更に次のタイトルにスキップされる。即ち、再生キー２７が例えば２秒未満内で何回か押下されると、順次、以降のタイトルにスキップされていく。
【００３８】
ここで、挿入されている光ディスク１が２層構造の記録面を有する２層ディスクである場合に、１層目から２層目の先頭タイトルへ、あるいは２層目から１層目の先頭タイトルへスキップする処理について説明する。
【００３９】
再生キー２７が例えば２秒以上押下されたと判定されたとき（ステップＳ３）、システムコントローラ１４は、２層ディスクである場合の光ディスク１の１層目を再生中であるか、２層目を再生中であるかを、ディスク情報により判定する（ステップＳ５，Ｓ６）。現在の再生対象が１層目を再生中であると判定されたとき、システムコントローラ１４の層間スキップ手段は、スレッドドライブ回路１８を介してスレッド４を駆動させ、また、光ピックアップ３を制御し、光ピックアップ３からのレーザ光のフォーカスを１層目から２層目にフォーカシングして、層間のスキップ動作を行い、光ディスク１の１層目から２層目の先頭タイトルへスキップさせる（スキップＳ７）。そして、システムコントローラ１４は、ディスク情報により、目的の２層目の先頭タイトルまでのスキップが終了したと判定すると（ステップＳ９）、その２層目の先頭タイトルの再生を開始させる（ステップＳ１１）。
【００４０】
この後、この２層目の再生状態において、例えば２秒以上再生キー２７が押下されると（ステップＳ３）、２層目が再生中であると判定され（ステップＳ６）、システムコントローラ１４の層間スキップ手段は、スレッドドライブ回路１８を介してスレッド４を駆動させ、また、光ピックアップ３を制御し、光ピックアップ３からのレーザ光のフォーカスを２層目から１層目にフォーカシングして、層間のスキップ動作を行い、光ディスク１の２層目から１層目の先頭タイトルへスキップさせる（スキップＳ８）。そして、システムコントローラ１４は、ディスク情報により、目的の１層目の先頭タイトルまでのスキップが終了したと判定すると（ステップＳ９）、その１層目の先頭タイトルの再生を開始させる（ステップＳ１１）。
【００４１】
なお、２層ディスクにおいても、再生キー２７が例えば２秒以上押下されていないと判定されたときは（ステップＳ３）、現在の再生中のタイトルから次のタイトルの頭までスキップされる（ステップＳ４）。
【００４２】
ステップＳ１０またはステップＳ１１の処理により、当該タイトルの再生が開始され、再生しているときに、例えば、リモコン２６の停止キーが押下されたとき、または当該タイトルの再生が最後まで終了したとき、システムコントローラ１４は、再生終了を検知し（ステップ１２）、スピンドルモータ２および光ピックアップ３などの動作を停止させ、当該タイトルの再生を終了させる。
【００４３】
以上説明したように本実施形態によれば、タイトルのスキップを行うためにタイトルメニュー画面やディスプレイメニュー画面を例えばテレビジョン受像機２２のディスプレイ装置に表示させる操作などを行う必要がなく、再生中での再生キー２７または再生キー２８の押下でタイトルをスキップさせることが可能になる。また、光ディスク１が２層構造の記録面を有する２層ディスクであった場合、再生中での再生キー２７または再生キー２８の例えば２秒以上の押下により、２層ディスクの１層目から２層目の先頭タイトルへ、あるいは２層目から１層目の先頭タイトルへスキップさせることが可能になる。したがって、ユーザにとっては、タイトルのスキップ操作が簡単になり、使い勝手が向上する。また、タイトルスキップ専用キーをリモコン２６や本体操作部２５に設けなくても、タイトルスキップ機能を再生キー２７または再生キー２８で代用できるので、コストアップになるようなことはない。
【産業上の利用可能性】
【００４４】
本発明は、ＤＶＤプレイヤやＤＶＤレコーダに利用可能であり、再生中での再生キーの押下により、タイトルをスキップさせることができるようになる。
【図面の簡単な説明】
【００４５】
【図１】本発明の一実施形態に係る光ディスク装置としてのＤＶＤプレイヤの構成を示すブロック図である。
【図２】前記実施形態においてＤＶＤビデオフォーマットの光ディスクのデータ構成図である。
【図３】前記実施形態において光ディスク上のＶＯＢＳのデータ構成図である。
【図４】前記実施形態において光ディスク上のＶＯＢＵにおけるデータ管理部分のデータ構成図である。
【図５】前記実施形態においてタイトルスキップ処理を説明するためのフローチャートである。
【符号の説明】
【００４６】
１    光ディスク
１４    システムコントローラ（再生判定手段、再生開始手段、押下時間判定手段、スキップ手段、層間スキップ手段）
２７，２８    再生キー
【図１】
2008269734.tif 000003
【図２】
2008269734.tif 000004
【図３】
2008269734.tif 000005
【図４】
2008269734.tif 000006
【図５】
2008269734.tif 000007